(57)【要約】【課題】  様々な種類のルアーにフィットさせ、ルアーから釣り針までの距離を自在に変えられる釣り針を提供する。【解決手段】  第１の釣り針１０ａと第２の釣り針１０ｂを備えており、紐２０は、その一端が第１の釣り針１０ａに他端が第２の釣り針１０ｂに結ばれている。懸垂具３０は紐２０の一部を吊り支え、第１の釣り針１０ａおよび第２の釣り針１０ｂをそれぞれ左右に吊り下げ、両者が上下摺動可能となるように支えている。位置調整治具４０は、懸垂具３０と第１の釣り針１０ａおよび第２の釣り針１０ｂの間に位置し、懸垂具３０により垂れ下がっている紐２０の上下摺動を可能とする開放状態と不能とする固定状態を持っている。第１の釣り針１０ａと第２の釣り針１０ｂの上下相対位置を調整した後、位置調整治具４０を固定状態として釣り針を固定する。【選択図】図１
2008263923.tif 000002
【特許請求の範囲】
【請求項１】
第１の釣り針と、第２の釣り針と、
一端が前記第１の釣り針の軸に、他端が前記第２の釣り針の軸に結ばれた紐と、
前記紐の一部を吊り支え、前記第１の釣り針および前記第２の釣り針をそれぞれ左右に吊り下げ、両者が上下摺動可能となるように支える懸垂具と、
前記懸垂具と前記第１の釣り針および前記第２の釣り針の間に位置し、前記懸垂具により垂れ下がっている前記紐の上下摺動を可能とする開放状態と不能とする固定状態との２状態の切り替えが可能である位置調整治具を備え、
前記第１の釣り針と前記第２の釣り針の上下相対位置の調整を可能とした紐付き釣り針。
【請求項２】
釣り針と、
一端が前記釣り針の軸に結ばれ、他端に摺動端を備えた紐と、
前記紐の一部を吊り支え、前記釣り針および前記摺動端をそれぞれ左右に吊り下げ、両者が上下摺動可能となるように支える懸垂具と、
前記懸垂具と前記釣り針および前記摺動端の間に位置し、前記懸垂具により垂れ下がっている前記紐の上下摺動を可能とする開放状態と不能とする固定状態との２状態の切り替えが可能である位置調整治具を備え、
前記釣り針の上下相対位置の調整を可能とした紐付き釣り針。
【請求項３】
第１の釣り針と、第２の釣り針と、
一端が前記第１の釣り針の軸に、他端が前記第２の釣り針の軸に結ばれた紐と、
前記紐の一部を吊り支え、前記第１の釣り針および前記第２の釣り針をそれぞれ左右に吊り下げ、両者が上下摺動可能となるように支える懸垂具と、
前記懸垂具と前記第１の釣り針および前記第２の釣り針の間に位置し、前記懸垂具により垂れ下がっている前記紐が通し入れられ、前記紐の上下摺動を摩擦力により制動する位置調整治具を備え、
前記位置調整治具と紐との間の摩擦力が、前記第１の釣り針または第２の釣り針にかかった魚の荷重では前記位置調整治具内で前記紐が摺動しない大きさとし、人手で引けば摺動し得る大きさに調整されていることを特徴とする紐付き釣り針。
【請求項４】
釣り針と、
一端が前記釣り針の軸に結ばれ、他端に摺動端を備えた紐と、
前記紐の一部を吊り支え、前記釣り針および前記摺動端をそれぞれ左右に吊り下げ、両者が上下摺動可能となるように支える懸垂具と、
前記懸垂具と前記釣り針および前記摺動端の間に位置し、前記紐との間に生じる摩擦力を制御し、前記紐の上下摺動を制動する位置調整治具を備え、
前記位置調整治具と紐との間の摩擦力が、前記釣り針にかかった魚の荷重では前記紐が摺動しない大きさとし、人手で引けば前記紐が摺動し得る大きさに調整されていることを特徴とする紐付き釣り針。
【発明の詳細な説明】
【技術分野】
【０００１】
本発明は、複数本の釣り針を備え、それぞれの釣り針の上下方向の相対位置を調整可能とした紐付き釣り針に関する。
【背景技術】
【０００２】
ルアー用の釣針にはシングルフック、ダブルフック、トリプルフックなどと称されるものが知られている。シングルフックは釣り針が１本しかないものであるが、ダブルフックは２本、トリプルフックは３本の釣針の針先を外方に向けて放射状に配置し軸部を一体化して錨状とし、軸部の基端（上端）に接続環（アイ）を形成したものである。
【０００３】
従来のダブルフックは例えば図１０（Ａ）に示すように、軸１０２を中心に２本の針が７０度〜１８０度間隔で取り付けられており、軸の先端に接続環１０１が設けられている。従来のトリプルフックは例えば図１０（Ｂ）に示すように、軸１０２を中心に３本の針が１２０度間隔で固定されており、軸の先端に接続環１０１が設けられている。
【０００４】
従来のダブルフックやトリプルフックはルアーの腹下部および尾部に装着される。腹下部に装着されたダブルフックやトリプルフックはルアーが水中を進むに従って針先がルアーの腹下部の下側に向いたり、腹下部の側面側に向いたりすることになり、ルアーに対して腹下方向からアプローチしてくる魚に対応する。一方、尾部に装着されたダブルフックやトリプルフックは後ろに引っ張られた状態となり、ルアーに対して尾方向からアプローチしてくる魚に対応する。
【０００５】
従来のダブルフックやトリプルフックの形成方法は複数通りある。第１の形成方法は、軸１０２の先端に接続環１０１が形成された一つの針の軸１０２と、軸の先端に接続環１０１が形成されていない一つ又は二つ針の軸１０２を所定の角度（ダブルフックなら７０度〜１８０度間隔、トリプルフックなら１２０度間隔）でロウ付けにより一体化して形成する方法である。第２の形成方法は、１本の線材を折り曲げて形成する方法である。折り曲げた部分を接続環１０１とし、折り合わせた部分をそれぞれの軸１０２をとし、先端を曲げてふところを設けつつ針先を形成する。なお、トリプルフックの場合は第１の形成方法と第２の形成方法を組み合わせることも可能である。例えば線材を折り曲げて接続環１０１と２つの軸１０２およびふところと針先を設け、別途形成した針の軸１０２をロウ付けして加えることにより一体化する。
【０００６】
また、従来からルアー用の釣り針として釣り針に紐を取り付けた紐付き釣り針が使用されている。この紐付き釣り針はその紐の上端とルアーを結び付けることにより取り付ける。そのため紐の上端に輪（ルアーへの止着用輪）が設けられている。例えば実開昭５２−３６１７４号公報には従来の紐付き釣り針の構造が開示されている。その紐の先端は折り返されて紐の中に差し込まれて止着用輪が形成されている。図１１において紐の両端には止着用輪１１０が設けられている。例えば止着用輪１１０は先端１１２が折り返され１１１内に差し込まれて形成されている。釣り針の軸先端には接続環１０１があり、この接続環１０１と紐の一端の止着用輪１１０を接続する。紐の他端の止着用輪１１０をルアーに結びつける。
【０００７】
この様な紐付き釣り針を仕掛けやルアーに使用した場合は、魚が釣り針を吸い込み易くなるため針掛かりし易く、また、針掛かりした後に魚が首を振って針を外そうとしても外れにくいという利点を持っている。
【０００８】
【特許文献１】特開２００２−３５４９６１号公報
【特許文献２】特開２００１−２９９１４７号公報
【特許文献２】実開昭５２−３６１７４号公報
【発明の開示】
【発明が解決しようとする課題】
【０００９】
ルアー釣りにおいて、対象魚の種類、ルアーの大きさ、さらには釣り場の環境、例えば、水温、水の流れ、水底の形などに応じて、ルアーと釣り針の位置関係を調整する必要が生じる場合がある。
一般に、上記従来技術のダブルフック、トリプルフックはルアーに直結され、紐付き釣り針の場合も紐を介して釣り針が取り付けられる構造となっている。図１２に示すように、従来技術のダブルフック、トリプルフックはルアーに直結されているためにルアーから釣り針までの距離は変えることはできない。
【００１０】
また、紐付き釣り針の場合も、紐の長さが決まっているので、ルアーから釣り針までの距離は変えることはできない。たたし、従来の紐付き釣り針の場合、紐の長さは商品のタイプによって異なるので、所望の長さの紐長を持つ紐付き釣り針に取り替えれば良い。しかし、従来の紐付き釣り針ではルアーから釣り針までの距離を変えようとする場合、所望の長さの紐長を持つ紐付き釣り針を選んで取り替える必要があり、その作業はとても煩わしく面倒なものであった。
【００１１】
上記問題点に鑑み、本発明は、上記従来の問題点に鑑み案出されたものであって、様々なメーカーのルアーにフィットさせ、ルアーから釣り針までの距離を自在に変えられる釣り針を提供することを目的とする。
【課題を解決するための手段】
【００１２】
上記目的を達成するため、本発明の第１の紐付き釣り針は、
第１の釣り針と、第２の釣り針と、
一端が前記第１の釣り針の軸に、他端が前記第２の釣り針の軸に結ばれた紐と、
前記紐の一部を吊り支え、前記第１の釣り針および前記第２の釣り針をそれぞれ左右に吊り下げ、両者が上下摺動可能となるように支える懸垂具と、
前記懸垂具と前記第１の釣り針および前記第２の釣り針の間に位置し、前記懸垂具により垂れ下がっている前記紐の上下摺動を可能とする開放状態と不能とする固定状態との２状態の切り替えが可能である位置調整治具を備え、
前記第１の釣り針と前記第２の釣り針の上下相対位置の調整を可能としたものである。
上記構成により、第１の釣り針と第２の釣り針の上下相対位置を所望のものに変えてから固定し、ルアーに取り付けることにより、ルアーから釣り針までの距離を自在に変えることができる。
【００１３】
なお、位置調整治具の開放手段、固定手段の切り替えは多様な方式があり得る。一つはいわゆるストッパーと言われるもので、開放状態では歯先が紐に沿った状態で固定状態では歯先が紐に食い込んで噛み締めるというものがある。他には、いわゆるハトメと言われる筒体のものであり、筒体に紐を通しておき、開放状態では紐が筒体内を自由に摺動し、固定状態ではハトメにカシ目を入れて押し潰し、紐が筒体内を摺動できないようにするものがある。他にはいわゆるクリップと言われるもので、開放状態ではクリップ歯が開いており紐が自由に摺動し、固定状態ではクリップ歯が閉じて紐を挟みこんで紐が摺動できないようにするものがある。
【００１４】
次に、上記第１の紐付き釣り針はいわゆるダブルフックであるが、シングルフックとする構成も可能である。つまり、紐の両端に取り付けていた第１の釣り針と第２の釣り針の一方を取り、紐の一端にのみ紐付き釣り針を取り付けた構成も可能である。
つまり、シングルフックタイプの第１の紐付き釣り針は、
釣り針と、
一端が前記釣り針の軸に結ばれ、他端に摺動端を備えた紐と、
前記紐の一部を吊り支え、前記釣り針および前記摺動端をそれぞれ左右に吊り下げ、両者が上下摺動可能となるように支える懸垂具と、
前記懸垂具と前記釣り針および前記摺動端の間に位置し、前記懸垂具により垂れ下がっている前記紐の上下摺動を可能とする開放状態と不能とする固定状態との２状態の切り替えが可能である位置調整治具を備え、
前記釣り針の上下相対位置の調整を可能としたものである。
ここで、摺動端とは、位置調整治具および懸垂具から紐が抜け出ないようにするストッパーとなるものであり、例えば、結び目や球体など位置調整治具および懸垂具を通り抜け出ない筐体サイズを持つ物体であれば良い。
【００１５】
次に、本発明の第２の紐付き釣り針は、
第１の釣り針と、第２の釣り針と、
一端が前記第１の釣り針の軸に、他端が前記第２の釣り針の軸に結ばれた紐と、
前記紐の一部を吊り支え、前記第１の釣り針および前記第２の釣り針をそれぞれ左右に吊り下げ、両者が上下摺動可能となるように支える懸垂具と、
前記懸垂具と前記第１の釣り針および前記第２の釣り針の間に位置し、前記懸垂具により垂れ下がっている前記紐が通し入れられ、前記紐の上下摺動を摩擦力により制動する位置調整治具を備え、
前記位置調整治具と紐との間の摩擦力が、前記第１の釣り針または第２の釣り針にかかった魚の荷重では前記位置調整治具内で前記紐が摺動しない大きさとし、人手で引けば摺動し得る大きさに調整されていることを特徴とする。
上記構成により、人手により第１の釣り針と第２の釣り針の上下相対位置を所望のものに変えてからルアーに取り付けることにより、ルアーから釣り針までの距離を自在に変えることができる。摩擦力が魚の重さでは針がずれない大きさを持つように調整されているため、第１の釣り針と第２の釣り針の上下相対位置を固定する手間が省ける。
【００１６】
なお、上記第２の紐付き釣り針はいわゆるダブルフックであるが、シングルフックとする構成も可能である。つまり、紐の両端に取り付けていた第１の釣り針と第２の釣り針の一方を取り、紐の一端にのみ紐付き釣り針を取り付けた構成も可能である。
つまり、シングルフックタイプの第２の紐付き釣り針は、
釣り針と、
一端が前記釣り針の軸に結ばれ、他端に摺動端を備えた紐と、
前記紐の一部を吊り支え、前記釣り針および前記摺動端をそれぞれ左右に吊り下げ、両者が上下摺動可能となるように支える懸垂具と、
前記懸垂具と前記釣り針および前記摺動端の間に位置し、前記紐との間に生じる摩擦力を制御し、前記紐の上下摺動を制動する位置調整治具を備え、
前記位置調整治具と紐との間の摩擦力が、前記釣り針にかかった魚の荷重では前記紐が摺動しない大きさとし、人手で引けば前記紐が摺動し得る大きさに調整されていることを特徴とする。
【００１７】
例えば、上記第１の紐付き釣り針または第２の紐付き釣り針の構成において、
前記懸垂具がリングであり、
前記位置調整治具が２つの孔を備え、押圧により前記孔の径が変形し、前記孔の内面により前記紐を押着固定可能なハトメであり、
前記紐を、前記第１の釣り針の軸から、前記位置調整治具の一方の前記孔、前記リングの孔、前記位置調整治具の他方の前記孔、前記第２の釣り針の軸に至るまでとしたものとすることができる。
上記構成により、第１の紐付き釣り針または第２の紐付き釣り針を小さなコスト、簡単な構造で提供することができる。なお、第２の紐付き釣り針の場合、ハトメの孔の径と紐の外径の設計において、両者の間の摩擦力が魚の荷重ではハトメ内で紐が摺動しない大きさとし、人手で引けば摺動し得る大きさになるように設計すれば良い。
また、シングルフックタイプの場合、上記第２の紐付き釣り針に代えて結び目などの摺動端とすれば良い。
【発明の効果】
【００１８】
本発明の紐付き釣り針によれば、簡単な構造によりルアーから釣り針までの距離を自在に変えることができる。本発明の紐付き釣り針を用いれば、対象魚の種類やルアーの大きさ、さらには釣り場の環境、例えば、水温、水の流れ、水底の形などに応じて臨機応変にルアーから釣り針までの距離を調整して釣りを楽しむことができる。
【発明を実施するための最良の形態】
【００１９】
以下、図面を参照しつつ、本発明の紐付き釣り針の実施形態を説明する。ただし、本発明の技術的範囲は以下の実施形態に示した具体的な用途や形状・寸法などには限定されない。
【実施例１】
【００２０】
実施例１として本発明の第１の紐付き釣り針の構成例を示す。実施例１はダブルフックの構成として２本の釣り針を備えた例である。
図１は、本発明の第１の紐付き釣り針の構成をダブルフックに適用した構成例を示す図である。
図１に示すように、本発明の紐付き釣り針は、釣り針１０（第１の釣り針１０ａ、第２の釣り針１０ｂ）、紐２０、懸垂具３０、位置調整治具４０を備えている。
釣り針１０は、上から、ちもと１１、軸１２、ふところ１３、針先１４、返し１５の各構成部分を備えている。
【００２１】
紐２０は、一端が第１の釣り針１０ａの軸１２に、他端が第２の釣り針１０ｂの軸１２に結ばれている。紐の材質は特に限定されないが釣りに用いることから当然に水や塩分に強いものである必要がある。また、後述するように摩擦力により釣り針の動きを制動する必要がある場合には表面がある程度粗いものを選択することが好ましい。
紐２０は第１の釣り針１０ａの軸１２から位置調整治具４０の一方の孔４１、リング３０の孔、位置調整治具４０の他方の孔４２、第２の釣り針１０ｂの軸１２に至るように配されている。
【００２２】
懸垂具３０は、紐２０の一部を吊り支え、第１の釣り針１０ａおよび第２の釣り針１０ｂをそれぞれ左右に吊り下げ、両者が上下摺動可能となるように支えている。この例では懸垂具３０がリングとなっている。
【００２３】
位置調整治具４０は、懸垂具３０と第１の釣り針１０ａおよび第２の釣り針１０ｂの間に位置している。懸垂具３０により垂れ下がっている紐２０の上下摺動を可能とする開放状態と不能とする固定状態の２状態の切り替えを可能とする機能を持つものであり、開放状態において紐を動かし第１の釣り針１０ａおよび第２の釣り針１０ｂの上下方向の相対位置を調整し、固定状態において紐の動きを止め、第１の釣り針１０ａおよび第２の釣り針１０ｂの上下方向の相対位置を固定することができる。
【００２４】
なお、位置調整治具４０の開放手段、固定手段の切り替えは多様な方式があり得る。図２は幾つかの方式を模式的に示した図である。例えば、一つはいわゆるストッパー方式と言われるもので、開放状態ではストッパー歯先が紐に沿った状態で固定状態ではストッパー歯先が紐に食い込んで噛み締めるというものがある。他にはいわゆるクリップ方式と言われるもので、開放状態ではクリップ歯が開いており紐が自由に摺動し、固定状態ではクリップ歯が閉じて紐を挟みこんで紐が摺動できないようにするものがある。また他には、いわゆるハトメ方式と言われる筒体のものであり、筒体に紐を通しておき、開放状態では紐が筒体内を自由に摺動し、固定状態ではハトメにカシ目を入れて押し潰し、紐が筒体内を摺動できないようにするものがある。その他の手段であっても位置調整治具４０内で紐２０を固定・開放を切り替えられる手段であれば適用することができる。
【００２５】
図１に示した構成例の位置調整治具４０はＡ−Ａ断面図に示すように２つの孔４１ａ、４１ｂを備え、この孔４１ａ，４１ｂに紐２０が通されており、位置調整治具４０の開放状態において紐２０が孔４１ａ，４１ｂ内を自由に摺動し、固定状態において紐２０が孔４１ａ，４１ｂ内で固定される仕組みとなっている。例えば、ストッパー方式の場合は紐２０が歯先（図示せず）により噛み込まれて孔４１ａ，４１ｂの内壁に押し付けられて固定される。クリップ方式の場合は紐２０がクリップ歯により挟み込まれることにより固定される仕組みとなっている。ハトメ方式の場合は、押圧によりハトメが押し潰されて内部の孔４１ａ，４１ｂの径が変形し、孔４１ａ，４１ｂの内面により紐２０が押着されて固定される仕組みとなっている。
【００２６】
図３は、紐２０、第１の釣り針１０ａおよび第２の釣り針１０ｂの上下動、位置調整治具４０の開放状態、固定状態の様子を示したものである。
図３左側は、位置調整治具４０が開放状態にあり、上下相対位置を下げたい側の釣り針の軸に繋がっている紐２０を引っ張ることにより釣り針の上下位置を調整する様子を示す図である。この例では、右側の第２の釣り針１０ｂを下に下げるべく紐２０を下に引き、逆に左側の第１の釣り針１０ａが上に上がっている様子を示している。この際、位置調整治具４０の内部で紐２０が可動となっている。懸垂具３０であるリングでも紐２０は自由に摺動可能となっている。
【００２７】
図３右側は、位置調整治具４０を押し潰して固定状態とした様子を示す図である。位置調整治具４０が開放状態において紐２０を摺動させて第１の釣り針１０ａおよび第２の釣り針１０ｂの上下位置関係の調整が終了した後に位置調整治具４０を固定状態とし、孔４１ａ，４１ｂの内部で紐２０を固定して紐２０の摺動を不能とする。固定手段は前掲したとおり、ストッパー手段、クリップ手段、ハトメ手段、その他手段などどの手段でも良い。
図４は実施例１の紐付き釣り針をルアーに取り付けた様子を示したものである。図４の例ではルアーの頭部分と尾部分に取り付ける構成例となっている。なお、本発明の紐付き釣り針のルアーへの取り付け位置は特に限定されることない。
【実施例２】
【００２８】
実施例２は、本発明の第１の紐付き釣り針の他の構成例として、１本の釣り針を備えたシングルフックとした構成例である。
図５は、本発明の第１の紐付き釣り針の構成をシングルフックに適用した構成例を示す図である。
図５に示すように、実施例２の紐付き釣り針は、釣り針１０（この構成例では第２の釣り針１０ｂのみに相当）、紐２０、懸垂具３０、位置調整治具４０を備えているが、紐２０には一端のみに釣り針１０が１本だけ設けられ、他端には摺動端１６が設けられている。この例では摺動端１６は球状の結び目となっている。
位置調整治具４０内において紐２０を固定する方式は実施例１で示したように多様なものがあり、ストッパー方式、クリップ方式、ハトメ方式など位置調整治具４０内において紐２０を固定することができれば適用することができる。
【００２９】
図６は、紐２０、釣り針１０と摺動端１６の上下動、位置調整治具４０の開放状態、固定状態の様子を示したものである。
図６左側は、位置調整治具４０が開放状態にあり、紐２０を上下に引っ張ることにより釣り針１０の上下位置を調整する様子を示す図である。この際、位置調整治具４０の内部で紐２０が可動となっている。
【００３０】
図６右側は、位置調整治具４０を固定状態とした様子を示す図である。位置調整治具４０が開放状態である場合において紐２０を摺動させて釣り針１０の上下位置関係を調整した後に位置調整治具４０を固定状態とし、孔４１ａの内部で紐２０を固定して紐２０の摺動を不能として上下位置を固定した状態となっている。固定手段は前掲したとおり、ストッパー手段、クリップ手段、ハトメ手段、その他手段などどの手段でも良い。
図７は実施例２の紐付き釣り針をルアーに取り付けた様子を示したものである。図７の例ではルアーの頭部分と尾部分に取り付ける構成例となっている。なお、紐付き釣り針のルアーへの取り付け位置は特に限定されることない。
【実施例３】
【００３１】
実施例３として本発明の第２の紐付き釣り針の構成例を示す。実施例３の構成例はダブルフックの構成例であり、２本の釣り針を備えた構成例である。
図８は、本発明の第２の紐付き釣り針の構成をダブルフックに適用した構成例を示す図である。
図８に示すように、本発明の第２の紐付き釣り針は、第１の紐付き釣り針と同様、釣り針１０（第１の釣り針１０ａ、第２の釣り針１０ｂ）、紐２０、懸垂具３０、位置調整治具４０を備えている。
釣り針１０、軸２０、懸垂具３０は実施例１と同様で良く、ここでは説明を省略する。
【００３２】
位置調整治具４０’は、実施例１と同様、懸垂具３０と第１の釣り針１０ａおよび第２の釣り針１０ｂの間に位置しているが、実施例１のように開放状態と固定状態という２状態で紐の動きを制動するものではなく、当初から摩擦力が適度な大きさに調整する工夫を施しているものである。
実施例３にかかる位置調整治具４０’は、位置調整治具４０’と紐２０との間の摩擦力が、第１の釣り針１０ａまたは第２の釣り針１０ｂにかかった魚の荷重では位置調整治具４０’内で紐２０が摺動しない大きさとし、人手で引けば摺動し得る大きさに調整されている。
【００３３】
位置調整治具４０’の中には２つの孔４１’ａ、４１’ｂがあるが、その内径は紐２０の外径と近いものとなっており、一定の摩擦力が発生する大きさに調整されている。ここで手で引けば位置調整治具４０’の内壁と紐２０の外表面との間で生じる摩擦力に打ち勝ち、紐２０が上下に摺動するようになっているが、対象魚、例えば、鮎などが釣り針１０ａ，１０ｂに掛かった状態においてその荷重により釣り針１０ａ，１０ｂに掛かる力程度では位置調整治具４０’の内壁と紐２０の外表面との間で生じる摩擦力には打ち勝てず紐２０の上下摺動が制動されるよう、位置調整治具４０’の内径と紐の外径が調整されている。
【００３４】
このように位置調整治具４０’の内径と紐２０の外径を選択し、摩擦力の大きさを調整しておくことにより、実施例１のように開放手段から固定手段に切り替えるという手間を省くことができ、より簡便な手順にて第１の釣り針１０ａおよび第２の釣り針１０ｂの上下位置関係を調整することができる紐付き釣り針とすることができる。
実施例３にかかる本発明の紐付き釣り針をルアーに取り付ける様子は図４に示したものと同様で良い。
【実施例４】
【００３５】
実施例４として本発明の第２の紐付き釣り針の他の構成例を示す。実施例４の構成例はシングルフックの構成例であり、１本の釣り針を備えた構成例である。
図９は、本発明の第２の紐付き釣り針の構成をシングルフックに適用した構成例を示す図である。
図９に示すように、本発明の第２の紐付き釣り針は、第１の紐付き釣り針と同様、釣り針１０（この構成例では第２の釣り針１０ｂに相当）、紐２０、懸垂具３０、位置調整治具４０’を備えている。
【００３６】
釣り針１０、紐２０、懸垂具３０は実施例２と同様で良く、ここでは説明を省略する。なお、紐２０の一端のみに釣り針１０が１本だけ設けられ、他端には摺動端１６が設けられている点は実施例２と同様である。
位置調整治具４０’は、実施例２と同様、懸垂具３０と釣り針１０の間に位置しているが、実施例２のように開放状態と固定状態という２状態で紐の動きを制動するものではなく、当初から摩擦力が適度な大きさに調整する工夫を施しているものである。
【００３７】
実施例４の位置調整治具４０’は、実施例３と同様、位置調整治具４０’と紐２０との間の摩擦力が、釣り針１０にかかった魚の荷重では位置調整治具４０’内で紐２０が摺動しない大きさとし、人手で引けば摺動し得る大きさに調整されている。
位置調整治具４０’の中には１つの孔４１’ａがあるが、その内径は紐２０の外径と近いものとなっており、一定の摩擦力が発生する大きさに調整されている。ここで手で引けば位置調整治具４０’の内壁と紐２０の外表面との間で生じる摩擦力に打ち勝ち、紐２０が上下に摺動するようになっているが、対象魚、例えば、鮎などが釣り針１０に掛かった状態においてその荷重により釣り針１０に掛かる力程度では位置調整治具４０’の内壁と紐２０の外表面との間で生じる摩擦力には打ち勝てず紐２０の上下摺動が制動されるよう、位置調整治具４０’の内径と紐の外径が調整されている。
【００３８】
このように位置調整治具４０’の内径と紐２０の外径を選択し、摩擦力の大きさを調整しておくことにより、実施例２のように開放手段から固定手段に切り替えるという手間を省くことができ、より簡便な手順にて釣り針１０の上下位置関係を調整することができる紐付き釣り針とすることができる。
実施例４にかかる本発明の紐付き釣り針をルアーに取り付ける様子は図７に示したものと同様で良い。
【００３９】
以上、本発明の釣り針における好ましい実施形態を図示して説明してきたが、本発明の技術的範囲を逸脱することなく種々の変更が可能であることは理解されるであろう。
【産業上の利用可能性】
【００４０】
本発明は多様なメーカーの釣り針に適用することができる。
【図面の簡単な説明】
【００４１】
【図１】本発明の第１の紐付き釣り針の構成をダブルフックに適用した構成例を示す図
【図２】位置調整治具４０の開放手段、固定手段の切り替え方式を示す図
【図３】実施例１の紐２０、第１の釣り針１０ａおよび第２の釣り針１０ｂの上下動、ハトメの開放状態、固定状態の様子を示した図
【図４】本発明の紐付き釣り針をルアーに取り付けた様子を示した図
【図５】本発明の第１の紐付き釣り針の構成をシングルフックに適用した構成例を示す図
【図６】実施例２の紐２０、第１の釣り針１０ａの上下動、位置調整治具４０の開放状態、固定状態の様子を示した図
【図７】実施例２の紐付き釣り針をルアーに取り付けた様子を示した図
【図８】本発明の第２の紐付き釣り針の構成をダブルフックに適用した構成例を示す図
【図９】本発明の第２の紐付き釣り針の構成をシングルフックに適用した構成例を示す図
【図１０】従来のダブルフック、従来のトリプルフックの構成例を示す図
【図１１】従来の紐付き釣り針の構成例を示す図
【図１２】従来のダブルフック、トリプルフックとルアーの位置関係を示す図
【符号の説明】
【００４２】
１０  釣り針
１０ａ  第１の釣り針
１０ｂ  第２の釣り針
１１  ちもと
１２  軸
１３  ふところ
１４  針先
１５  返し
１６  摺動端
２０  紐
３０  懸垂具
４０，４０’  位置調整治具
４１，４１ａ，４１ｂ  孔
【図１】
2008263923.tif 000003
【図２】
2008263923.tif 000004
【図３】
2008263923.tif 000005
【図４】
2008263923.tif 000006
【図５】
2008263923.tif 000007
【図６】
2008263923.tif 000008
【図７】
2008263923.tif 000009
【図８】
2008263923.tif 000010
【図９】
2008263923.tif 000011
【図１０】
2008263923.tif 000012
【図１１】
2008263923.tif 000013
【図１２】
2008263923.tif 000014